(57)【要約】【課題】  全開時の引き残し部分をなくしても安全性を確保することができる框ドアを提供すること。【解決手段】  ガラス板１１ｂの周囲を框体１１ａにより保持してなるドア本体（框ドア）１１において、ガラス板１１ｂを框体１１ａの固定壁対向面１１ｅ側へ寄せ、ガラス板１１ｂと固定壁対向面１１ｅとを略同一面上に配設した。【選択図】  図２
2004278286.tif 000002
【特許請求の範囲】
【請求項１】
面体の周囲を框により保持してなる框ドアにおいて、
前記面体と前記框の固定壁対向面とを略同一面上または前記固定壁面側が低くなるように配設したことを特徴とする框ドア。
【請求項２】
前記面体がガラス板であり、該ガラス板の框保持部分は表面が削られていることを特徴とする請求項１記載の框ドア。
【請求項３】
面体の周囲を框により保持してなる框ドアをスライドさせて開閉する駆動機構を備えたスライド式自動ドアにおいて、
請求項１または２記載の框ドアを備えていることを特徴とするスライド式自動ドア。
【発明の詳細な説明】
【技術分野】
【０００１】
本発明は、自動ドア等のスライド式ドアに適用される框ドア及びこれを備えたスライド式自動ドアに関する。
【背景技術】
【０００２】
従来より、水平移動により開口部を開閉するようにした引き戸タイプのスライド式ドアが広く使用されている。このようなスライド式ドアには、センサから出力される検知信号を受けて作動する駆動機構を備え、自動的に開閉するように構成された自動ドアがある。
このようなスライド式自動ドアにおいては、たとえば図６に示すように、ドア本体１として框ドアが用いられている。このドア本体１は、図示しない駆動機構を作動させることにより、ガイドレールに沿ってスライドして開口部の開閉を行うようになっている。（たとえば、特許文献１参照）
【０００３】
ドア本体１は、長方形としたガラス板２の周囲（上下左右）を框体３により保持したものであり、ガラス板２は、図７に示すように、框体３の幅（厚さ）方向中心位置または略中心位置に配置されている。
なお、図中の符号４は接着剤等のガラス保持部、５は中間方立、６ははめ殺しガラスである。
【特許文献１】特開平１１−３３６４１０号公報（段落番号０００７−０００８、図１）
【発明の開示】
【発明が解決しようとする課題】
【０００４】
ところで、上述した従来技術には、以下に説明するような解決するべき問題がある。
すなわち、図７及び８に示すように、框ドアとしたドア本体１においては、ガラス板２が框体３の幅方向中心位置または略中心位置にあるので、縦方向の框体３とガラス板２との面間に比較的大きな段差ｔを生じることとなる。このような段差ｔの存在は、ドア本体１が開口部の全開位置近傍まで開いた状態から全開位置とする際、中間方立５とガラス板２との間に形成される隙間Ｓを大きくするため、誤って指などを挟み込むおそれがある。このため、従来のスライド式自動ドアにおいては、ドア本体１を全開位置まで開かないように設定して、引き残し部分Ｌを設けるように推奨している。
【０００５】
このように、スライド式自動ドアに引き残し部分Ｌを設けることは、駆動装置で開閉する自動ドアの安全性が増すため好ましいことではあるが、反面、開口部の有効幅を減少させるという問題が生じてくる。すなわち、建築構造物においては開閉ドアの幅が規格化されているので、開口部の有効幅が減少すると物品の出し入れを困難にすることがある。特に、家具・調度品については、開口部の規格を考慮して同様に規格化されているので、有効幅のわずかな減少でも出し入れの障害になることがあり、クレーン等を用いて窓から搬入・搬出することを余儀なくされるといった不都合がある。しかし、施主側の要望で引き残し部分Ｌを設けずに全開可能とした場合には、誤って手の指を挟み込むような事故が発生しているという実状もある。
このような背景から、スライド式自動ドアにおいては、安全性を確保しつつ、全開時の引き残し部分をなくすことが求められている。
【０００６】
本発明は、上記の事情に鑑みてなされたもので、全開時の引き残し部分をなくしても安全性を確保することができる框ドア及びこれを備えたスライド式自動ドアの提供を目的とするものである。
【課題を解決するための手段】
【０００７】
本発明は、上記課題を解決するため、以下の手段を採用した。
請求項１に記載の框ドアは、面体の周囲を框により保持してなる框ドアにおいて、前記面体と前記框の固定壁対向面とを略同一面上または前記固定壁面側が低くなるように配設したことを特徴とするものである。
【０００８】
このような框ドアとすれば、面体と框の固定壁対向面とを略同一面上または固定壁面側が低くなるように配設したので、框ドアの固定壁対向面側においては、実質的に段差をなくすことができる。
この場合、面体を框の固定壁対向面側へ寄せ、面体と固定壁対向面とを略同一面上に配設することで段差は最小限となり、また、前記面体をガラス板とし、該ガラス板が框保持部分の表面を削られた構成とすれば、框と同一面またはやや低い面とすることができる。なお、ガラス板の表面を金剛砂等でこすって削れば、その部分が不透明な磨りガラス状となって好都合である。なお、ガラス板以外の面体についても、框保持部分を薄くしたものを使用することで、同一面またはやや低い面とすることができる。
【０００９】
請求項３に記載のスライド式自動ドアは、面体の周囲を框により保持してなる框ドアをスライドさせて開閉する駆動機構を備えたスライド式自動ドアにおいて、請求項１または２記載の框ドアを備えていることを特徴とするものである。
【００１０】
このようなスライド式自動ドアによれば、面体と框の固定壁対向面とを略同一面上または固定壁面側が低くなるように配設した框ドアとしたので、框ドアの固定壁対向面側においては、実質的に段差をなくすことができる。このため、全開位置近傍まで開いた状態で、たとえば框と固定壁（中間方立など）との間に指を挟み込むような隙間が生じるようなことはない。
【発明の効果】
【００１１】
本発明の框ドアとすれば、面体を框の固定壁対向面側へ積極的に寄せることにより、あるいは、面体の框保持部分の表面を削って段差を設けることにより、ガラス板等の面体と固定壁対向面とを略同一面ないし面体側が低くなるように配設したので、框ドアの固定壁対向面側においては、実質的に段差のない状態とすることができる。このため、ドア開時に指等を挟み込むような隙間が形成されるようなことはなくなるので、安全性の向上に大きな効果を奏する。また、安全性の向上により引き残し部分を設けなくてすむので、開口部の面積を有効に利用することができ、物品の搬入・搬出が容易になる。
【００１２】
本発明のスライド式自動ドアとすれば、面体を框の固定壁対向面側へ寄せ、あるいは、面体の框保持部分の表面を削って段差を設けることにより、ガラス板等の面体と固定壁対向面とが略同一面ないし面体側が低くなるように配設された框ドアとしたので、框ドアの固定壁対向面においては、実質的に段差のない状態とし、全開位置近傍まで開いた状態で、たとえば框と中間方立等の固定壁との間に指を挟み込むような隙間が生じるようなことはない。従って、開口部の有効面積を低減する引き残し部分を設けなくても安全性を確保できるので、開口部の面積を有効利用できて安全なスライド式自動ドアとなる。
【発明を実施するための最良の形態】
【００１３】
以下、本発明に係る框ドア及びこれを備えたスライド式自動ドアの一実施形態を図面に基づいて説明する。
図１は両開きの自動ドア１０を室内側正面から見た図であり、図中の符号１１はドア本体、１２は無目、１３は左右一対の側枠、１４は固定ガラス、１５は上部レール、１６は下部レール、１７は戸車、１８は鍵穴、１９は中間方立である。
【００１４】
この自動ドア１０は、左右一対のドア本体１１がそれぞれ左右にスライドすることで建築躯体等に設けられた開口部を開閉するように構成されている。
ドア本体１１は、上下左右の框を枠組みしてなる框体１１ａに面体としてガラス板１１ｂを嵌め込んだものであり、一般的には框ドアと呼ばれている。このドア本体１１は、框体１１ａの上端部側に取り付けられている戸車１７を介して無目１２内に配置されている上部レール１５に吊り下げられ、図示しない駆動機構の動作によって水平移動が可能に支持されている。また、ドア本体１１の下端部は、框体１１ａの下端部に設けられている振れ止め部材（図示省略）が下部レール１６をガイドとしてスライドする。すなわち、ドア本体１１は、下端部と床面ＦＬとの間に小さな隙間を形成し、吊り下げられた状態で開閉移動するようになっている。
【００１５】
図２は、ドア本体１１のガラス保持部を示す図１のＡ−Ａ線に沿う断面図である。この場合の框体１１ａは、たとえばアルミニウムやステンレス等の金属材料を型に押し込んで成形した金属押出材であり、内周面側にはガラス板１１ｂの端部を固定するための凹溝部１１ｃが形成されている。この凹溝部１１ｃに挿入されたガラス板１１ｂの端部は、ガラス固定手段として用いた接着剤２０により接着固定されている。なお、凹溝部１１ｃには、接着面積を拡大する目的で凹凸面部１１ｄが適宜設けられている。
【００１６】
さて、上述したガラス保持部は、框体１１ａの幅（厚さ）方向において、中心線より固定壁対向面側にできるだけ寄せた位置とされ、框体１１ａとガラス板１１ｂとが略同一平面を形成するようにしてある。
すなわち、図２及び図３に示すように、凹溝部１１ｃは、固定壁である固定ガラス１４及びこの固定ガラス１４の一辺を保持する中間方立１９との対向面である固定壁対向面１１ｅの方向へ芯ずれして配置され、実質的にはガラス板１１ｂを保持するために必要となる最小限の板厚ｔ１を残して、固定壁対向面１１ｅ側に寄せられている。この場合の板厚ｔ１は、ドア本体１１やガラス板１１ｂの形状（大きさや厚さなど）にもよるが、おおよそ０．５〜３ｍｍ程度に薄くすることができる。このため、ガラス板１１ｂと框体１１ａの固定壁対向面１１ｅとの間は、実質的にはほとんど段差のない略同一平面となる。
【００１７】
従って、開閉時にスライドするドア本体１１のガラス板１１ｂと、固定壁側の中間方立１９との間に形成される隙間Ｓ１は、開閉時の干渉を防止するために確保する必要最小限の値に板厚ｔ１を加算したものとなり、誤って指を挟み込む程大きな隙間が形成されるようなことはない。すなわち、干渉防止の目的で確保する隙間は従来と同様であるが、ドア本体１１の固定壁側がほとんど段差のない略同一平面となるので、段差の差（ｔ−ｔ１）に相当する分だけ隙間が大幅に減少し、指を挟み込むほど大きな隙間の形成が防止される。
【００１８】
また、上述したように、隙間Ｓ１に指を挟み込まれるおそれがなくなると、従来確保していた引き残し部分Ｌをなくすことができる。すなわち、ドア本体１１の全開位置では、開口部を形成する中間方立１９と框体１１ａの縦框とが一致する位置までドア本体１１を開いて移動させることが可能になるので、開口部の面積全てを有効に利用することができる。
【００１９】
ところで、上述した実施形態では、見付寸法Ｗを小さくできることから框体１１ａとして金属押出材を採用しているが、たとえば図４に示す第１変形例のドア本体２１としてもよい。この第１変形例では、ドア本体２１の框体２１ａがアルミニウム型抜材よりなり、固定壁対向面２１ｅ側に寄せて設けた凹溝部２１ｃに、ガラス固定手段のゴムパッキン２２を介してガラス板２１ｂを保持するように構成されている。
この場合の板厚ｔ２は、おおよそ０．５〜４ｍｍ程度となり、金属押出材と略同様に薄くできる。なお、見付寸法Ｗを小さくするためには、接着材２０を用いて接着する構成が有利である。
【００２０】
また、図５に示す第２変形例では、ガラス板１１ｂの固定壁対向面１１ｅ側を保持する框体１１ａを部分的になくし、さらに、ガラス板１１ｂについては、その表面の一部を僅かに削って磨りガラス状としたものを使用している。他の構成については上述した図２の実施形態と同様であり、このようなガラス板１１ｂの片面保持構造としても、十分な強度を確保することができる。なお、この場合、ガラス板１１ｂの固定は、見付寸法Ｗを小さくできる接着剤２０の使用が望ましい。
この保持構造のドア本体１１では、ガラス板１１ｂの片面のみが框体１１ａに保持されるので、保持部分のガラス板１１ｂについては、一方（固定壁対向面１１ｅ側）のガラス表面を金剛砂等でこすって削り、いわゆる磨りガラス状とした表面が露出する。従って、ガラス板１１ｂを框体１１ａに固定する接着剤２０は、部分的に磨りガラス状としたガラス板１１の裏面側となって見えなくなるので、ガラス板１１ｂが透明であっても見栄え状の問題が生じることはない。
【００２１】
このようにすれば、ガラス板１１ｂの表面を磨りガラス状に削った段差面１１ｆが形成されるので、ガラス板１１ｂの固定壁側表面と固定壁対向面１１ｅとを同一面にすれば、段差部分の僅かな寸法ｔ３だけ框体１１ａより低くすることもできる。この場合、ガラス板１１ｂと固定壁対向面１１ｅとの段差寸法ｔ３は、ガラス板１１ｂの板厚など諸条件により制約を受けるが、おおよそ１０ｍｍ程度まで低くすることも可能である。
なお、ガラス板１１ｂが不透明で接着剤２０が透けて見えないなど、磨りガラス状の段差面１１ｆを形成する必要がない場合には、框体１１ａの固定壁対向面１１ｅが、ガラス板１１ｂと略同一平面を形成するようにしてもよい。
【００２２】
ところで、上述した実施形態ではドア本体１１，２１を自動ドアに適用した場合を説明したが、本発明はこれに限定されることはなく、スライド式ドア一般に適用可能である。さらに、上述した実施形態では面体をガラス板としたが、本発明はガラス板以外の面体についても同様に適用可能である。
なお、本発明の構成は上述した実施形態に限定されるものではなく、本発明の要旨を逸脱しない範囲内において適宜変更することができる。
【図面の簡単な説明】
【００２３】
【図１】本発明に係るスライド式自動ドアの一実施形態として両開きの自動ドアを示す正面図である。
【図２】図１のＡ−Ａ線に沿う断面図である。
【図３】ドア閉時におけるドア本体と固定側壁面である固定ガラス及び中間方立との関係を示す断面図である。
【図４】図２に示したＡ−Ａ断面の第１変形例を示す断面図である。
【図５】図２に示したＡ−Ａ断面の第２変形例を示す断面図である。
【図６】従来の框ドアを示す正面図である。
【図７】従来の問題点である引き残し部分Ｌを示す断面図である。
【図８】従来の問題点である挟み込みを示す断面図である。
【符号の説明】
【００２４】
１０    自動ドア
１１，２１    ドア本体
１１ａ，２１ａ  框体
１１ｂ，２１ｂ  ガラス板（面体）
１１ｃ，２１ｃ  凹溝部
１１ｄ  凹凸部
１１ｅ，２１ｅ  固定壁対向面
１１ｆ    段差面
２０    接着剤
２２    ゴムパッキン
ＦＬ    床面
【図１】
2004278286.tif 000003
【図２】
2004278286.tif 000004
【図３】
2004278286.tif 000005
【図４】
2004278286.tif 000006
【図５】
2004278286.tif 000007
【図６】
2004278286.tif 000008
【図７】
2004278286.tif 000009
【図８】
2004278286.tif 000010
【手続補正書】
【提出日】平成16年7月26日(2004.7.26)
【手続補正１】
【補正対象書類名】特許請求の範囲
【補正対象項目名】全文
【補正方法】変更
【補正の内容】
【特許請求の範囲】
【請求項１】
面体の周囲を、金属押出材からなる框の内周面側に設けた凹溝部に挿入し、接着材にて両者を接着固定してなる框ドアであって、
前記面体と前記框の固定壁対向面とを略同一面上に配設し、
前記凹溝部を、前記框の厚さ方向における固定壁対向面側に寄せて形成し、
かつ、前記凹溝部の内周面であって、固定壁対向面とは逆側の内周面にのみ、前記接着材との接着面積を拡大するための凹凸面部を形成したことを特徴とする框ドア。
【請求項２】
前記面体がガラス板であり、該ガラス板の框保持部分は表面が削られていることを特徴とする請求項１記載の框ドア。
【請求項３】
面体の周囲を框により保持してなる框ドアをスライドさせて開閉する駆動機構を備えたスライド式自動ドアにおいて、
請求項１または２記載の框ドアを備えていることを特徴とするスライド式自動ドア。
【手続補正２】
【補正対象書類名】明細書
【補正対象項目名】０００７
【補正方法】変更
【補正の内容】
【０００７】
本発明は、上記課題を解決するため、以下の手段を採用した。
請求項１に記載の框ドアは、面体の周囲を、金属押出材からなる框の内周面側に設けた凹溝部に挿入し、接着材にて両者を接着固定してなる框ドアであって、前記面体と前記框の固定壁対向面とを略同一面上に配設し、前記凹溝部を、前記框の厚さ方向における固定壁対向面側に寄せて形成し、かつ、前記凹溝部の内周面であって、固定壁対向面とは逆側の内周面にのみ、前記接着材との接着面積を拡大するための凹凸面部を形成したことを特徴とするものである。
【手続補正３】
【補正対象書類名】明細書
【補正対象項目名】０００８
【補正方法】変更
【補正の内容】
【０００８】
このような框ドアとすれば、面体と框の固定壁対向面とを略同一面上に配設したので、框ドアの固定壁対向面側においては、実質的に段差をなくすことができる。
この場合、面体を框の固定壁対向面側へ寄せ、面体と固定壁対向面とを略同一面上に配設することで段差は最小限となり、また、前記面体をガラス板とし、該ガラス板が框保持部分の表面を削られた構成とすれば、框と同一面またはやや低い面とすることができる。
なお、ガラス板の表面を金剛砂等でこすって削れば、その部分が不透明な磨りガラス状となって好都合である。なお、ガラス板以外の面体についても、框保持部分を薄くしたものを使用することで、同一面またはやや低い面とすることができる。
【手続補正４】
【補正対象書類名】明細書
【補正対象項目名】００１１
【補正方法】変更
【補正の内容】
【００１１】
本発明の框ドアとすれば、面体を框の固定壁対向面側へ積極的に寄せることにより、あるいは、面体の框保持部分の表面を削って段差を設けることにより、ガラス板等の面体と固定壁対向面とを略同一面上に配設したので、框ドアの固定壁対向面側においては、実質的に段差のない状態とすることができる。このため、ドア開時に指等を挟み込むような隙間が形成されるようなことはなくなるので、安全性の向上に大きな効果を奏する。また、安全性の向上により引き残し部分を設けなくてすむので、開口部の面積を有効に利用することができ、物品の搬入・搬出が容易になる。
【手続補正５】
【補正対象書類名】明細書
【補正対象項目名】００１２
【補正方法】変更
【補正の内容】
【００１２】
本発明のスライド式自動ドアとすれば、面体を框の固定壁対向面側へ寄せ、あるいは、面体の框保持部分の表面を削って段差を設けることにより、ガラス板等の面体と固定壁対向面とが略同一面上に配設された框ドアとしたので、框ドアの固定壁対向面においては、実質的に段差のない状態とし、全開位置近傍まで開いた状態で、たとえば框と中間方立等の固定壁との間に指を挟み込むような隙間が生じるようなことはない。従って、開口部の有効面積を低減する引き残し部分を設けなくても安全性を確保できるので、開口部の面積を有効利用できて安全なスライド式自動ドアとなる。
【手続補正６】
【補正対象書類名】明細書
【補正対象項目名】００１５
【補正方法】変更
【補正の内容】
【００１５】
図２は、ドア本体１１のガラス保持部を示す図１のＡ−Ａ線に沿う断面図である。この場合の框体１１ａは、たとえばアルミニウムやステンレス等の金属材料を型に押し込んで成形した金属押出材であり、内周面側にはガラス板１１ｂの端部を固定するための凹溝部１１ｃが形成されている。この凹溝部１１ｃに挿入されたガラス板１１ｂの端部は、ガラス固定手段として用いた接着剤２０により接着固定されている。なお、凹溝部１１ｃの内周面であって、固定壁対向面１１ｅとは逆側の内周面にのみ、接着面積を拡大する目的で凹凸面部１１ｄが適宜設けられている。